(57)【要約】【課題】株価情報を記載しやすいとともに、記載した株価情報も見やすく、良好に管理でき、株式投資初心者の学習にも有効に活用できる、使い勝手が良い株式情報学習表を提供する。【解決手段】横軸に日付を記載し、縦軸に株価を記載するように、日付記載の目盛として左右方向に等間隔に並ぶ複数の縦線１２と、株価記載の目盛として上下方向に等間隔に並ぶ複数の横線１４と、が直交して形成される縦横に並列された多数のマス目１６を有し、それぞれのマス目１６は、縦の辺の長さと横の辺の長さの比率が１：２〜１：５に設定された株式情報学習表１０から構成される。【選択図】図１
0003211939.tif 000002
【実用新案登録請求の範囲】
【請求項１】
横軸に日付を記載し、縦軸に株価を記載するように、日付記載の目盛として左右方向に等間隔に並ぶ複数の縦線と、株価記載の目盛として上下方向に等間隔に並ぶ複数の横線と、が直交して形成される縦横に並列された多数のマス目を有し、
それぞれのマス目は、縦の辺の長さと横の辺の長さの比率が１：２〜１：５に設定されたことを特徴とする株式情報学習表。
【請求項２】
それぞれのマス目の縦の辺の長さと横の辺の長さの比率が、１：２．５に設定されたことを特徴とする請求項１記載の株式情報学習表。
【請求項３】
それぞれのマス目は、縦の辺の長さが２ｍｍ、横の辺の長さが５ｍｍに設定されたことを特徴とする請求項１又は２記載の株式情報学習表。
【請求項４】
縦７００ｍｍ×横７００ｍｍのサイズの用紙に、複数の縦線と複数の横線が表示されたことを特徴とする請求項１ないし３のいずれかに記載の株式情報学習表。
【考案の詳細な説明】
【技術分野】
【０００１】
本考案は、株式投資等の学習に好適な株式情報学習表に関する。
【背景技術】
【０００２】
近時、サラリーマンや学生、主婦、高齢者等、老若男女を問わず株取引を始めようとする者も多い。株式投資を勉強する方法は種々あるが、例えば、株価をグラフに表してその株価の時間的な変動や推移を見やすく方法が利用されることが多く、株取引の売買タイミングの判断材料にも活用されている。従来、株価の変動をグラフに表す際には、縦横に交差する多数の縦線と横線でマス目が記載された方眼紙が利用されていた。また、特許文献１には、互いに交差する多数の縦線と横線を表示した方眼紙であって、縦線を２本の一般縦線と１本の個性化された基準縦線とが順に並ぶ三進法的配列にした株式等の相場の記入に利用される罫線用紙が開示されている。
【先行技術文献】
【特許文献】
【０００３】
【特許文献１】特開平７−１７１６３号公報
【考案の概要】
【考案が解決しようとする課題】
【０００４】
従来の方眼紙や特許文献１の罫線用紙は、例えば、図３、図４に示すように、１ｍｍ間隔で並ぶ多数の縦線１０２と多数の横線１０４が互いに交差してマス目が記載されており、５ｍｍ間隔で中太線で記載され、１０ｍｍ間隔で太線で記載され、５０ｍｍ間隔で極太線で記載されて表されている。従来の方眼紙１００に日付と株価を記載してグラフを作成する場合には、１ｍｍ間隔のマス目の目盛を利用すると、幅が小さいため書きにくく見にくいことから、例えば、図３、図４に示すように、５ｍｍ間隔で表されている中太線を基準の目盛として利用する場合があった。なお、図３では、最小の１ｍｍ間隔の縦線、横線は省略して表しているとともに、図３、図４のグラフは、図５の表の株価の一例において、高値、安値、始値、終値をいかり足で記載している。従来の方眼紙では、５ｍｍ間隔の中太線も正方形となるように交差しており、横軸に５ｍｍ間隔で日付を記載し、縦軸に５ｍｍ間隔を１円の目盛として株価を記載すると、グラフの縦方向の幅が比較的大きくなることから、株価等をスムーズに書きにくかったり、見にくかったりする場合があった。また、株価の推移は、４〜６ヶ月間等のある程度長期的に見る必要があるとともに、その長期間に株価が大きく上がったり又は大きく下がったりする場合もあることから、例えば、Ｂ２やＡ３サイズ等のある程度大きめの従来の方眼紙を使用した場合であっても、用紙の縦幅又は横幅が足らずに株価や日付を１枚の方眼紙に記載できなかったり、別の方眼紙を貼り合わせ継ぎ足したりする必要があり、使い勝手が悪く、管理もしにくいものであった。また、仮に５ｍｍ間隔以外の間隔、例えば、２ｍｍ間隔で目盛を取ろうとすると、いちいち１ｍｍ間隔の線を２本ずつ数える必要があるので、煩雑で間違えやすく、株価の記入に時間もかかり、実用性が低い問題があった。
【０００５】
本考案は、上記従来の課題に鑑みてなされたものであり、その一つの目的は、株価情報を記載しやすいとともに、記載した株価情報も見やすく、良好に管理でき、株式投資初心者の学習にも有効に活用できる、使い勝手が良い株式情報学習表を提供することにある。
【課題を解決するための手段】
【０００６】
上記課題を解決するために本考案は、横軸に日付を記載し、縦軸に株価を記載するように、日付記載の目盛として左右方向に等間隔に並ぶ複数の縦線１２と、株価記載の目盛として上下方向に等間隔に並ぶ複数の横線１４と、が直交して形成される縦横に並列された多数のマス目１６を有し、それぞれのマス目１６は、縦の辺の長さと横の辺の長さの比率が１：２〜１：５に設定された株式情報学習表１０から構成される。
【０００７】
また、それぞれのマス目１６の縦の辺の長さと横の辺の長さの比率が、１：２．５に設定されたこととしてもよい。
【０００８】
また、それぞれのマス目１６は、縦の辺の長さが２ｍｍ、横の辺の長さが５ｍｍに設定されたこととしてもよい。
【０００９】
また、縦７００ｍｍ×横７００ｍｍのサイズの用紙に、複数の縦線１２と複数の横線１４が表示されたこととしてもよい。
【考案の効果】
【００１０】
本考案の株式情報学習表によれば、横軸に日付を記載し、縦軸に株価を記載するように、日付記載の目盛として左右方向に等間隔に並ぶ複数の縦線と、株価記載の目盛として上下方向に等間隔に並ぶ複数の横線と、が直交して形成される縦横に並列された多数のマス目を有し、それぞれのマス目は、縦の辺の長さと横の辺の長さの比率が１：２〜１：５に設定されたことから、各マス目の縦横バランスがよく、株価情報等を記載した際に日付間隔や株価の上下変動幅等を含むグラフ全体がバランス良く記載でき、使い勝手がよく、例えば初心者が株式投資の勉強をする際にも、良好に利用でき、実用性が高い株式情報学習表を提供できる。
【００１１】
また、それぞれのマス目の縦の辺の長さと横の辺の長さの比率が、１：２．５に設定された構成とすることにより、各マス目の縦横バランスをよいので、グラフが全体として不要に縦方向や横方向に長く間延びしたり逆に圧縮されたりせず、株価情報の記載しやすさ、見やすさ、管理しやすさ、使い勝手を向上できる。
【００１２】
また、それぞれのマス目は、縦の辺の長さが２ｍｍ、横の辺の長さが５ｍｍに設定された構成とすることにより、全体として配置効率が良く、縦横バランスをマス目を具体的に実現でき、株価情報の記載しやすさ、見やすさ、管理しやすさ、使い勝手及び実用性をより向上できる。
【００１３】
また、縦７００ｍｍ×横７００ｍｍのサイズの用紙に、複数の縦線と複数の横線が表示された構成とすることにより、比較的長期間の株価を記載できるとともに、比較的大きな価格変動の上下幅でも対応して記載できるので、多くの株価情報を１枚に記載して管理でき、使い勝手が良い。
【図面の簡単な説明】
【００１４】
【図１】本考案の第１の実施形態に係る株式情報学習表の全体図である。
【図２】図１の株式情報学習表の一部拡大図である。
【図３】従来の方眼紙の全体図である。
【図４】図３の従来の方眼紙の一部拡大図である。
【図５】株価の一例を示した表である。
【考案を実施するための形態】
【００１５】
以下、添付図面を参照しつつ本考案の株式情報学習表の実施の形態について説明する。本考案の株式情報学習表は、例えば、既に株式投資している人や株式投資の初心者が株式について学習する際に、株価を図示して推移を把握するのに利用できる株価記入用のグラフ用紙である。図１、図２は、本考案に係る株式情報学習表の第１の実施形態を示している。本実施形態では、図１、図２に示すように、株式情報学習表１０は、左右方向に等間隔に並ぶ複数の縦線１２と、上下方向に等間隔に並ぶ複数の横線１４と、が互いに直交して形成される縦横に並列された多数のマス目１６を有している。それぞれのマス目１６は、横長矩形状に形成されているとともに、全て同じサイズに形成されている。
【００１６】
本実施形態では、例えば、縦７００ｍｍ×横７００ｍｍのサイズの正方形の用紙１８に、互いに直交する複数の縦線１２及び複数の横線１４が表示されている。複数の縦線１２は、例えば、５ｍｍ間隔で１３５本並設されているとともに、複数の横線１４は、例えば、２ｍｍ間隔で３３７本並設されており、縦６７２ｍｍ×横６７０ｍｍの領域に多数のマス目１６が縦横マトリクス配列さている。用紙１８の上下にはそれぞれ１４ｍｍ、左右にはそれぞれ１５ｍｍの余白２０が形成されている。余白２０には、日付と株価が記載される。具体的には、複数の縦線１２を目盛とし横軸に日付を記載し、複数の横線を目盛として縦軸に株価を記載するようになっている。
【００１７】
上記のように、日付の目盛となる複数の縦線１２は５ｍｍ間隔で配列されているとともに、株価の目盛となる複数の横線１４は２ｍｍ間隔で配列されていることから、縦線と横線が交差してできるそれぞれのマス目１６は、縦の辺の長さが２ｍｍ、横の辺の長さが５ｍｍに設定されて形成されている。基本的には、それぞれのマス目１６は、縦の辺の長さと横の辺の長さの比率が１：２〜１：５に設定されるとよく、より好適には各マス目１６の縦の辺の長さと横の辺の長さの比率が、１：２．５に設定されると、横軸に記載する日付の間隔と、各日付に対応して記載する株価の上下幅のバランスがよく、従来の正方形のマス目の方眼紙と比較して、株価情報の書きやすさ、見やすさを向上できる。特に、本実施形態のように、マス目１６が、縦の辺の長さが２ｍｍ、横の辺の長さが５ｍｍのサイズに設定されると、株価情報の書きやすさ、見やすさ、管理のしやすさのバランスが極めて良好であり、使い勝手がよく、例えば、株式投資初心者が学習する際でも、スムーズに活用することができる。
【００１８】
さらに本実施形態では、日付の目盛となる複数の縦線１２は、５の倍数以外の番目となる縦線は細線（１２ａ）で設けられるとともに、５の倍数番目の縦線は太線（１２ｂ）で形成されている。株式市場が開いている日は、月曜日から金曜日で、土曜日、日曜日及び祝日が休みであることから、通常祝日を除くと、月曜日から金曜日までの５日間が１週間単位となる。したがって、５の倍数番目の縦線を太線で表すことで、１週間単位の目安を簡易に把握でき、株価情報を管理しやすい。さらに、上記の用紙１８のサイズでかつ、縦線１２が１３５本並設されていることから、１枚の株式情報学習表で約１３５日、すなわち株式市場が開いている日で数えると約２７週間、すなわち約６ヶ月近くの株価情報を記載することができる。
【００１９】
一方、株価の目安となる複数の横線１４は、縦線同様に、５の倍数番目以外の横線は細線（１２ａ）で設けられるとともに、５の倍数番目の横線は太線（１４ｂ）で形成されている。さらに、５０の倍数番目の横線は、極太線（１４ｃ）で形成されている。株価は、例えば、一つの目盛すなわち２ｍｍ間隔が１円で記載されると、５円ごと、５０円ごとの区切りが分かりやすく、株価の変動の把握を行いやすい。さらに、上記の用紙１８のサイズでかつ、横線１４が３３７本並設されていることから、１枚の株式情報学習表で６７２円の価格の変動幅を記載することができ、ある程度大きな株価変動でも用紙を継ぎ足したりすることなく記載することができる。なお、用紙のサイズや縦線、横線の本数は任意でもよい。また、本実施形態では、使用者が余白２０に手書きで日付や株価を記載する態様であるが、予め印刷等で日付や株価が記載されていてもよい。
【００２０】
次に、本実施形態に係る株式情報学習表１０の作用について説明する。本実施形態では、例えば、図５の表で示した日付と株価をいかり足表記でグラフに表す場合とする。図１、図２に示すように、各日付ごとに、一日の値動きをグラフ化されており、一日の最初の取引株価となる始値と、一日のうち一番高かった株価となる高値と、一日の内一番安かった株価となる安値と、一日の最後の取引株価となる終値との４つの株価をいかり足で記載していく。さらに、各日付の終値どうしを線で結んでいく。各マス目１６は、縦２ｍｍ×横５ｍｍのサイズで縦横配列されているので、使用者はいかり足による株価情報を書きやすく、グラフが全体として不要に上下方向に長く間延びしたり逆に圧縮されたりせず見やすい。さらに、上記のようなサイズで設けられていることから、例えば、図３に示した従来の方眼紙に比べても、全体的に見てグラフの上下変動幅も把握しやすく、１枚の株式情報学習表に記載できる株価情報を多く記載できるとともに、株価を記載する際にも書きやすく、かつ記載した株価情報も見やすく、管理しやすい。その結果、例えば、老若男女や、株式投資の初心者や中級者、上級者問わず使い勝手がよく、初心者等が株式投資を学習する際にも有効に利用することができ、実用性が高い株式情報学習表を実現できる。
【００２１】
以上説明した本考案の株式情報学習表は、上記した実施形態のみの構成に限定されるものではなく、実用新案登録請求の範囲に記載した本考案の本質を逸脱しない範囲において、任意の改変を行ってもよい。
【産業上の利用可能性】
【００２２】
本考案の株式情報学習表は、例えば、株式投資を教える学校やセミナーで学習する際や独学で株式投資を勉強する際に好適に利用できる。
【符号の説明】
【００２３】
１０    株式情報学習表
１２    縦線
１４    横線
１６    マス目
１８    用紙
【図１】
0003211939.tif 000003
【図２】
0003211939.tif 000004
【図３】
0003211939.tif 000005
【図４】
0003211939.tif 000006
【図５】
0003211939.tif 000007